(57)【要約】【課題】高い技能も張替えも必要としないローコストで高品質な温水や電気を熱源とした床暖房が容易にできる。雇い実発熱体を熱源とした床暖房を提供する。【解決手段】無垢の木のフローリング材１の連結部両側面に雇い実発熱体挿入凹溝２を設け、前記フローリング材１を根太９にビス１０で固定し、雇い実１１の中央に形成された埋設用凹溝５に加熱流体用導管６又は発熱電線７を埋設した雇い実基板４に伝熱板８を添え貼りした雇い実発熱体３と雇い実１１を、前記雇い実発熱体挿入凹溝２に挿入してなる温水又は電気を熱源とした床暖房がフローリング張り感覚で容易に構築できる。【選択図】  図３
2010116749.tif 000002
【特許請求の範囲】
【請求項１】
フローリング材の連結部両側面に雇い実発熱体挿入凹溝を設け、
前記フローリング材を根太にビスで固定し、
前記雇い実発熱体挿入凹溝に雇い実発熱体を挿入して、
前記雇い実発熱体を熱源として床暖房をすることを特徴とする床暖房構築工法。
【請求項２】
請求項１において、
前記雇い実発熱体挿入凹溝に、雇い実の中央に形成された埋設用凹溝に加熱流体用導管を埋設した、雇い実基板に伝熱板を添え貼りしてなる雇い実発熱体を挿入し、
前記フローリング材を敷設して温水を熱源とした雇い実発熱体で床暖房をすることを特徴とする温水床暖房構築工法。
【請求項３】
請求項１、２において、
前記雇い実発熱体挿入凹溝に、雇い実の中央に形成された埋設用凹溝に発熱電線を埋設した、雇い実基板に伝熱板を添え貼りしてなる雇い実発熱体を挿入し、
前記フローリング材を敷設して電気を熱源とした雇い実発熱体で床暖房をすることを特徴とする電気床暖房構築工法。
【請求項４】
請求項１、２または３において、
前記雇い実の中央に形成された埋設用凹溝に加熱流体用導管を埋設した雇い実基板に伝熱板を添え貼りしてなる雇い実発熱体を用いて温水床暖房をすることを特徴とする雇い実発熱体。
【請求項５】
請求項１〜４において、
前記雇い実の中央に形成された埋設用凹溝に発熱電線を埋設した雇い実基板に伝熱板を添え貼りしてなる雇い実発熱体を用いて電気床暖房をすることを特徴とする雇い実発熱体。
【請求項６】
請求項１〜５において、
フローリング材の連結部両側面に雇い実発熱体挿入凹溝を設け、
前記フローリング材を根太に固定し、
前記雇い実発熱体挿入凹溝に雇い実発熱体を挿入して、
前記雇い実発熱体を熱源として床暖房をすることを特徴とする床暖房構築工法と請求項２〜３記載の床暖房構築工法のフローリングの敷設床を下地として仕上げ材で張ることを特徴とする床暖房の工法。
【請求項７】
請求項１〜６において、
前記フローリング材は、前記雇い実発熱体が使用できる厚みと巾を有することを特徴とする無垢の木のフローリング材。
【請求項８】
請求項１〜７において、
前記フローリング材の巾を狭めると密度の高い温度が得られ、巾を広げれば密度の低い温度になることを特徴とする床暖房の工法。
【発明の詳細な説明】
【技術分野】
【０００１】
本発明は床暖房に関し、無垢の木のフローリング材の両側面に雇い実発熱体挿入凹溝を設けて、雇い実発熱体を用いてなる雇い実発熱体を熱源とした床暖房に関する。
【背景技術】
【０００２】
従来の床暖房は電気式と温水式とに大別される。それらは木床の根太部分に放熱装置を構成して、根太上にフローリング材を敷設した床暖房と、根太部分に熱遮断処理をして根太上に放熱板を敷設してフローリング材を敷設した床暖房がある。
他方、根太部分に熱遮断処理をして根太上に加熱流体用導管又は発熱電線を埋設してなるフローリング材を敷設した床暖房がある。
【０００３】
なお、本願発明に関連する、床暖房の公知技術として次の特許文献を挙げることができる。
【０００４】
【特許文献１】特許公開２０００−２３０７２１、特許公開２００６−４６０２８、特許公開２００８−１４４９８１、
【発明の開示】
【発明が解決しようとする課題】
【０００５】
しかしながら、従来の電気式や温水式床暖房には次の問題があった。その電気式や温水式床暖房は工事が複雑でコスト高である。
【０００６】
また、加熱流体用導管又は発熱電線を埋設してなるフローリング材は製作費にコストが掛かっていた。そのフローリング材は、薄い端板を貼って表面を仕上げたもので、傷や磨耗で損傷した場合張り替えなければならない不都合が生じていた。
【０００７】
他方、前記の加熱流体用導管又は発熱電線を埋設してなるフローリング材の床暖房は、無垢の木のフローリング材の敷設を希望しても、その選択肢は既製の床暖房用フローリング材の敷設しかない不都合が生じていた。
【０００８】
本発明は、上述のような問題点に鑑みてなされたものであり、その目的とするところは断熱材や断熱工事を必要としない、また、技術を有する熟練工でなくても敷設が容易にできる、雇い実発熱体を熱源とした床暖房を提供することにある。
【課題を解決するための手段】
【０００９】
上記課題を解決するために、本発明においては、つぎのような技術的手段を講じている。すなわち、請求項１に記載の発明によれば、フローリング材の連結部両側面に雇い実発熱体挿入凹溝を設け、前記フローリング材を根太にビスで固定し、前記雇い実発熱体挿入凹溝に雇い実発熱体を挿入して、前記雇い実発熱体を熱源として床暖房をすることを特徴とする床暖房構築工法が提供される。
【００１０】
請求項２に記載の温水を熱源とした床暖房の工法については、前記雇い実発熱体挿入凹溝に、雇い実の中央に形成された埋設用凹溝に加熱流体用導管を埋設した、雇い実基板に伝熱板を添え貼りしてなる雇い実発熱体を挿入し、前記フローリング材を敷設して温水を熱源とした雇い実発熱体で床暖房をすることを特徴とする温水床暖房構築工法が提供される。
【００１１】
請求項３に記載の電気を熱源とした床暖房の工法については、前記雇い実発熱体挿入凹溝に、雇い実の中央に形成された埋設用凹溝に発熱電線を埋設した、雇い実基板に伝熱板を添え貼りしてなる雇い実発熱体を挿入し、前記フローリング材を敷設して電気を熱源とした雇い実発熱体で床暖房をすることを特徴とする電気床暖房構築工法が提供される。
【００１２】
請求項４に記載の温水を熱源とした雇い実発熱体については、請求項１に記載の発明に加えて、前記雇い実の中央に形成された埋設用凹溝に加熱流体用導管を埋設した雇い実基板に伝熱板を添え貼りしてなる雇い実発熱体を用いて温水床暖房をすることを特徴とする雇い実発熱体が提供される。
【００１３】
請求項５に記載の電気を熱源とした雇い実発熱体については、請求項１に記載の発明に加えて、前記雇い実の中央に形成された埋設用凹溝に発熱電線を埋設した雇い実基板に伝熱板を添え貼りしてなる雇い実発熱体を用いて電気床暖房をすることを特徴とする雇い実発熱体が提供される。
【００１４】
請求項１に記載を下地とした床暖房については、請求項６に記載のフローリング材の連結部両側面に雇い実発熱体挿入凹溝を設け、前記フローリング材を根太に固定し、前記雇い実発熱体挿入凹溝に雇い実発熱体を挿入して、前記雇い実発熱体を熱源として床暖房をすることを特徴とする床暖房構築工法と請求項２〜３記載の床暖房構築工法のフローリングの敷設床を下地として仕上ることを特徴とする床暖房の工法が提供される。
【００１５】
請求項１〜６に記載のフローリング材については、請求項７に記載の前記フローリング材は、前記雇い実発熱体が使用できる厚みと巾を有することを特徴とする無垢の木のフローリング材が提供される。
【００１６】
請求項８記載のフローリング材の巾の調節で温度調節をすることについては、前記フローリング材の巾を狭めると密度の高い温度が得られ、巾を広げれば密度の低い温度になることを特徴とする床暖房の工法が提供される。
【発明の効果】
【００１７】
本発明の雇い実発熱体を熱源とした床暖房は、請求項１に記載した、フローリング材の連結部両側面に雇い実発熱体挿入凹溝を設け、前記フローリング材を根太に固定し、前記雇い実発熱体挿入凹溝に雇い実発熱体を挿入して、前記雇い実発熱体を熱源として床暖房をする。そのフローリング材を無垢の木のフローリング材とすると無垢の木は断熱材であり、断熱材や断熱工事は必要なく大幅なコストが削減できる。他方、熱源による反や伸縮による割れなどは無垢の木のフローリング材の接続固定部が熱源であるので問題は生じない。
【００１８】
また、前記無垢の木のフローリング材も工法も変えることなく、利用する熱源によって請求項４記載の温水を熱源とする雇い実発熱体と請求項５記載の電気を熱源とする雇い実発熱体を選択して、それぞれの熱源の床暖房が容易に出来る。
【００１９】
他方、前記温水を熱源とする雇い実発熱体と電気を熱源とする雇い実発熱体を用いて無垢の木のフローリング材を敷設してなる床暖房の無垢の木のフローリング床を下地として多種多様な床材で仕上ることもできる。
【００２０】
この発明の大きな効果の一つにフローリング材の巾を狭めると密度の高い温度が得られ、巾を広げれば密度の低い温度にできる、温度密度を自由に設定できる。
【発明を実施するための最良の形態】
【００２１】
以下に、本発明の実施形態について図面を参照して詳細に説明する。図１はフローリング材と加熱流体用導管を埋設した雇い実発熱体の原寸断面図である。図１において、フローリング材１の連結部両側面に雇い実発熱体挿入凹溝２を設け、前記フローリング材１を根太９にビス１０で固定し、雇い実１１の中央に形成された埋設用凹溝５に加熱流体用導管６を埋設した雇い実基板４に伝熱板８を添え貼りした雇い実発熱体３を、前記雇い実発熱体挿入凹溝２に挿入してなる温水を熱源とした温水床暖房の構成を示したものである。但し、加熱流体用導管６の形状は自由に選択できる。
【００２２】
前記フローリング材１を断熱性能の高い無垢の木にすることで、断熱材や断熱工事は必要なく大幅なコストが削減できる。また、無垢の木は加工性に優れているため高い技能を必要としない。更に無垢の木のフローリング材１は化粧貼りをしないので、磨耗による損傷や傷の対応に優れ、耐用年数は長い、他方、熱源による反や伸縮による割れなどは無垢の木のフローリング材１の接続固定部が熱源であるので問題は生じない。
【００２３】
前記雇い実発熱体挿入凹溝２に、加熱流体用導管６を埋設した雇い実発熱体３を挿入し、無垢の木のフローリング材１を敷設しつつ、加熱流体用導管６を接続部１２で接続することで温水を熱源とした温水床暖房床が容易に構築できる。他方、床暖房床を必要としない部分は雇い実発熱体３と同寸の雇い実１１を用いることでコストが削減できる。
【００２４】
図２はフローリング材と発熱電線を埋設した雇い実発熱体の原寸断面図である。図２において、無垢の木のフローリング材１の連結部両側面に雇い実発熱体挿入凹溝２を設け、前記無垢の木のフローリング材１を根太９にビス１０で固定し、雇い実１１の中央に形成された埋設用凹溝５に発熱電線７を埋設した雇い実基板４に伝熱板８を添え貼りした雇い実発熱体３を、前記雇い実発熱体挿入凹溝２に挿入してなる発熱電線７を熱源とした電気床暖房の構成を示したものである。
【００２５】
前記雇い実発熱体挿入凹溝２に発熱電線７を埋設した雇い実発熱体３を挿入し、無垢の木のフローリング材１を敷設しつつ、発熱電線７を接続部１２で接続することで発熱電線７を熱源とした電気床暖房床が容易に構築できる。他方、床暖房床を必要としない部分は雇い実発熱体３と同寸の雇い実１１を用いることでコストが削減できる。
【００２６】
図３は雇い実発熱体を用いてフローリング材を敷設した実施横断面詳細図である。図３において、無垢の木のフローリング材１の連結部両側面に雇い実発熱体挿入凹溝２を設け、前記無垢の木のフローリング材１を根太９にビス１０で固定し、雇い実発熱体３を、前記雇い実発熱体挿入凹溝２に挿入してなる温水又電気床暖房の構成を示したものである。
【００２７】
図４は雇い実発熱体を用いてフローリング材を敷設した実施平面詳細図である。図４において、雇い実発熱体３と雇い実１１及び熱源の接続部１２の構成を示した無垢の木のフローリング材１の敷設状況を示したものである。
【００２８】
図３、図４で示したように無垢の木のフローリング材１と雇い実発熱体３で敷設してなる床暖房は、従来のフローリング張り床と同等の作業効率で敷設できる。また、無垢の木のフローリング材１は加工性に優れ、保温性・美観・自然環境等に優れた建材である。
【００２９】
図５は雇い実発熱体を用いてフローリング材を敷設した実施縦断面詳細図である。図５において、雇い実発熱体３と雇い実１１及び熱源の接続部１２の構成を示したものである。
【００３０】
また、前記無垢の木のフローリング材１も工法も変えることなく、利用する熱源によって請求項４記載の温水を熱源とする雇い実発熱体３と請求項５記載の電気を熱源とする雇い実発熱体３を選択して、それぞれの熱源の床暖房が容易に出来る。
【００３１】
他方、前記温水を熱源とする雇い実発熱体と電気を熱源とする雇い実発熱体を用いて無垢の木のフローリング材を敷設してなす床暖房の無垢の木のフローリング床を下地として多種多様な床材で仕上ることもできる。
【実施例１】
【００３２】
床下地組された根太９上に、厚さ３０mm巾１０５mm長さ４ｍ程度の無垢の木のフローリング材１の連結部両側面に、雇い実発熱体挿入凹溝２を設けた無垢の木のフローリング材１をビス１０で固定し、その雇い実発熱体挿入凹溝２に雇い実発熱体３と雇い実１１を挿入して、無垢の木のフローリング材１を敷設する。前記雇い実発熱体３の連結は接続部１２で接続する。このことにより無垢の木のフローリング材１の特性を活かした、全ての無駄が排除された床暖房が構築できる。
【００３３】
前記雇い実発熱体３は、無垢の木か発泡ポリスチレンや発泡ポリプロピレン等の発泡断熱材の素材を雇い実１１とし、その雇い実１１の中央に形成された埋設用凹溝５に加熱流体用導管６又は発熱電線７を埋設した雇い実基板４に伝熱板８を添え貼りし、雇い実発熱体３が形成される。
【００３４】
前記加熱流体用導管６が埋設された雇い実発熱体３は温水を熱源とした温水床暖房に、発熱電線７が埋設された雇い実発熱体３は電気を熱源とした電気床暖房に適応させるものである。
【実施例２】
【００３５】
寒冷地のような温度密度を高めたい場合には、実施例１に加えて実施例１で説明した無垢の木のフローリング材１の巾(１０５程度)を狭めることで密度の高い温度が得られる。
【００３６】
本実施形態において、実施例や図面に示した各部材は、一例を示したものであり、同様の機能を果たす公知の他の部材で置き換えることは可能である。例えばフローリング材は無垢の木のフローリング材を主体に利用する例を説明しているが、断熱性能を有するフローリング材に置換してもよい、このように、本発明は種々設計変更可能であり、特許請求の範囲を逸脱しない限り、いずれも本発明の技術的範囲に属する。
【図面の簡単な説明】
【００３７】
【図１】フローリング材と加熱流体用導管を埋設した雇い実発熱体の原寸断面図である。
【図２】フローリング材と発熱電線を埋設した雇い実発熱体の原寸断面図である。
【図３】雇い実発熱体を用いてフローリング材を敷設した実施横断面詳細図である。
【図４】雇い実発熱体を用いてフローリング材を敷設した実施平面詳細図である。
【図５】雇い実発熱体を用いてフローリング材を敷設した実施縦断面詳細図である。
【符号の説明】
【００３８】
・  フローリング材
・  雇い実発熱体挿入凹溝
・  雇い実発熱体
・  雇い実基板
・  熱源溝
・  加熱流体用導管
・  発熱電線
・  伝熱板
・  根太
・  ビス
・  雇い実
・  接続部
【図１】
2010116749.tif 000003
【図２】
2010116749.tif 000004
【図３】
2010116749.tif 000005
【図４】
2010116749.tif 000006
【図５】
2010116749.tif 000007